【手続補正書】
【提出日】平成24年5月31日(2012.5.31)
【手続補正１】
【補正対象書類名】明細書
【補正対象項目名】発明の名称
【補正方法】変更
【補正の内容】
【発明の名称】携帯端末管理システム、管理装置及びプログラム
【手続補正２】
【補正対象書類名】明細書
【補正対象項目名】０００１
【補正方法】変更
【補正の内容】
【０００１】
本発明は、非接触ＩＣ（Integrated Circuit）カードを読み取る携帯端末を管理する携帯端末管理システム、管理装置及びプログラムに関する。
【手続補正３】
【補正対象書類名】明細書
【補正対象項目名】００１１
【補正方法】変更
【補正の内容】
【００１１】
上記課題を解決するために、請求項１に記載の発明の携帯端末管理システムは、
携帯端末と、当該携帯端末を管理する管理装置と、を備え、
前記携帯端末は、
非接触通信により、カードＩＤが記憶された非接触ＩＣカードから情報を読み取る又は書き込む第１の非接触ＩＣリーダライタ手段と、
前記管理装置から情報を読み取り及び書き込み可能な非接触ＩＣメモリと、
使用可能な非接触ＩＣカードのカードＩＤを記憶する第１の記憶手段と、
前記第１の非接触ＩＣリーダライタ手段により非接触ＩＣカードのカードＩＤを読み取り、当該読み取られたカードＩＤが前記第１の記憶手段に記憶されているか否かを判別し、当該カードＩＤが記憶されている場合に、当該カードＩＤ、自機の端末ＩＤ、及び前記カードＩＤを許可する旨のＩＤ許可フラグを前記非接触ＩＣメモリに記憶し、当該非接触ＩＣメモリに記憶される自機の動作の許可又は不許可を示す管理装置許可フラグに応じて、自機の動作を許可又は不許可に設定する第１の制御手段と、を備え、
前記管理装置は、
非接触通信により、前記非接触ＩＣメモリから情報を読み取る又は書き込む第２の非接触ＩＣリーダライタ手段と、
使用可能な非接触ＩＣカードのカードＩＤと携帯端末の端末ＩＤとの組合せを記憶する第２の記憶手段と、
前記第２の非接触ＩＣリーダライタ手段により前記非接触ＩＣメモリからカードＩＤ、端末ＩＤ及びＩＤ許可フラグを読み取り、当該読み取られたＩＤ許可フラグが許可を示し、且つ前記読み取られたカードＩＤ及び端末ＩＤの組合せが前記第２の記憶手段に記憶されているか否かを判別し、ＩＤ許可フラグが許可であり且つカードＩＤ及び端末ＩＤの組合せが記憶されている場合に、前記第２の非接触ＩＣリーダライタ手段により前記非接触ＩＣメモリに前記携帯端末の動作の許可の旨の管理装置許可フラグを書き込み、ＩＤ許可フラグが許可でない又はカードＩＤ及び端末ＩＤの組合せが記憶されていない場合に、前記第２の非接触ＩＣリーダライタ手段により前記非接触ＩＣメモリに前記携帯端末の動作の不許可の旨の管理装置許可フラグを書き込む第２の制御手段と、を備える。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
携帯端末と、当該携帯端末を管理する管理装置と、を備え、
前記携帯端末は、
非接触通信により、カードＩＤが記憶された非接触ＩＣカードから情報を読み取る又は書き込む第１の非接触ＩＣリーダライタ手段と、
前記管理装置から情報を読み取り及び書き込み可能な非接触ＩＣメモリと、
使用可能な非接触ＩＣカードのカードＩＤを記憶する第１の記憶手段と、
前記第１の非接触ＩＣリーダライタ手段により非接触ＩＣカードのカードＩＤを読み取り、当該読み取られたカードＩＤが前記第１の記憶手段に記憶されているか否かを判別し、当該カードＩＤが記憶されている場合に、当該カードＩＤ、自機の端末ＩＤ、及び前記カードＩＤを許可する旨のＩＤ許可フラグを前記非接触ＩＣメモリに記憶し、当該非接触ＩＣメモリに記憶される自機の動作の許可又は不許可を示す管理装置許可フラグに応じて、自機の動作を許可又は不許可に設定する第１の制御手段と、を備え、
前記管理装置は、
非接触通信により、前記非接触ＩＣメモリから情報を読み取る又は書き込む第２の非接触ＩＣリーダライタ手段と、
使用可能な非接触ＩＣカードのカードＩＤと携帯端末の端末ＩＤとの組合せを記憶する第２の記憶手段と、
前記第２の非接触ＩＣリーダライタ手段により前記非接触ＩＣメモリからカードＩＤ、端末ＩＤ及びＩＤ許可フラグを読み取り、当該読み取られたＩＤ許可フラグが許可を示し、且つ前記読み取られたカードＩＤ及び端末ＩＤの組合せが前記第２の記憶手段に記憶されているか否かを判別し、ＩＤ許可フラグが許可であり且つカードＩＤ及び端末ＩＤの組合せが記憶されている場合に、前記第２の非接触ＩＣリーダライタ手段により前記非接触ＩＣメモリに前記携帯端末の動作の許可の旨の管理装置許可フラグを書き込み、ＩＤ許可フラグが許可でない又はカードＩＤ及び端末ＩＤの組合せが記憶されていない場合に、前記第２の非接触ＩＣリーダライタ手段により前記非接触ＩＣメモリに前記携帯端末の動作の不許可の旨の管理装置許可フラグを書き込む第２の制御手段と、を備える携帯端末管理システム。
【請求項２】
前記第２の記憶手段は、カードＩＤ及び端末ＩＤの組合せと、当該端末ＩＤの端末装置が動作中であるか否かを示す端末状況情報とを対応付けて記憶し、
前記第２の制御手段は、前記管理装置許可フラグの動作許可への変更に応じて、許可されたカードＩＤ及び端末ＩＤの前記端末状況情報を動作中に変更する請求項１に記載の携帯端末管理システム。
【請求項３】
前記第２の制御手段は、携帯端末の動作終了後に、前記第２の非接触ＩＣリーダライタ手段により前記非接触ＩＣメモリからカードＩＤ及び端末ＩＤを読み取り、当該読み取られたカードＩＤ及び端末ＩＤの組合せに対応する前記端末状況情報を動作中でない旨に変更し、前記第２の非接触ＩＣリーダライタ手段により前記非接触ＩＣメモリに記憶されている管理装置許可フラグに前記携帯端末の動作の許可の未設定の旨を書き込む請求項２に記載の携帯端末管理システム。
【請求項４】
前記管理装置は、表示手段を備え、
前記第２の制御手段は、前記第２の記憶手段に記憶されている前記端末状況情報を前記表示手段に表示する請求項２又は３に記載の携帯端末管理システム。
【請求項５】
非接触通信により、携帯端末の非接触ＩＣメモリからカードＩＤ、端末ＩＤ及びＩＤ許可フラグを読み取る又は書き込む非接触ＩＣリーダライタ手段と、
使用可能な非接触ＩＣカードのカードＩＤと携帯端末の端末ＩＤとの組合せを記憶する記憶手段と、
前記非接触ＩＣリーダライタ手段により前記非接触ＩＣメモリからカードＩＤ、端末ＩＤ及びＩＤ許可フラグを読み取らせ、当該読み取られたＩＤ許可フラグが許可を示し、且つ前記読み取られたカードＩＤ及び端末ＩＤの組合せが前記記憶手段に記憶されているか否かを判別し、ＩＤ許可フラグが許可であり且つカードＩＤ及び端末ＩＤの組合せが記憶されている場合に、前記非接触ＩＣリーダライタ手段により前記非接触ＩＣメモリに前記携帯端末の動作の許可の旨の管理装置許可フラグを書き込み、ＩＤ許可フラグが許可でない又はカードＩＤ及び端末ＩＤの組合せが記憶されていない場合に、前記非接触ＩＣリーダライタ手段により前記非接触ＩＣメモリに前記携帯端末の動作の不許可の旨の管理装置許可フラグを書き込む制御手段と、
を備える管理装置。
【請求項６】
コンピュータを、
非接触通信により、携帯端末の非接触ＩＣメモリからカードＩＤ、端末ＩＤ及びＩＤ許可フラグを読み取る又は書き込む非接触ＩＣリーダライタ手段、
使用可能な非接触ＩＣカードのカードＩＤと携帯端末の端末ＩＤとの組合せを記憶手段に記憶させる手段、
前記非接触ＩＣリーダライタ手段により前記非接触ＩＣメモリからカードＩＤ、端末ＩＤ及びＩＤ許可フラグを読み取らせ、当該読み取られたＩＤ許可フラグが許可を示し、且つ前記読み取られたカードＩＤ及び端末ＩＤの組合せが前記記憶手段に記憶されているか否かを判別し、ＩＤ許可フラグが許可であり且つカードＩＤ及び端末ＩＤの組合せが記憶されている場合に、前記非接触ＩＣリーダライタ手段により前記非接触ＩＣメモリに前記携帯端末の動作の許可の旨の管理装置許可フラグを書き込み、ＩＤ許可フラグが許可でない又はカードＩＤ及び端末ＩＤの組合せが記憶されていない場合に、前記非接触ＩＣリーダライタ手段により前記非接触ＩＣメモリに前記携帯端末の動作の不許可の旨の管理装置許可フラグを書き込む制御手段、
として機能させるプログラム。